(57)【要約】【課題】発光部の経時変化による光量変化の影響を受けることなく、光色を略同一に保持すると共に、光量を略一定に保持することができる発光装置、該発光装置を備える照明装置及び該照明装置の駆動方法を提供する。【解決手段】発光部１と、該発光部１を駆動する駆動電流を制御する制御部４とを備える照明装置１００において、制御部４は、所定の光量を得るべく、発光部１の総使用時間に応じて発光部１に供給する駆動電流を変更するように構成してある。総使用時間に伴う光量の減少分を駆動電流の増加に応じた光量の増加分にて補うように構成してあるから、各ＬＥＤ１１，１２，１３の経時変化による光量変化の影響を受けることなく光量を略一定に保持することができる。この結果、発光色が異なる赤色ＬＥＤ１１、緑色ＬＥＤ１２及び青色ＬＥＤ１３の発光比率が変化しないから、光色を略同一に保持することができる。【選択図】図１
2010206085.tif 000002
【特許請求の範囲】
【請求項１】
発光部と、該発光部を駆動する駆動電流を制御する制御手段とを備える発光装置において、
前記制御手段は、所定の光量を得るべく、前記発光部の総使用時間に応じて該発光部に供給する駆動電流を変更するように構成してあることを特徴とする発光装置。
【請求項２】
前記発光部の使用時間を累計して総使用時間を求める手段と、前記発光部の総使用時間と駆動電流との関係を示すテーブルとを備え、
前記制御手段は、前記手段により求めた発光部の総使用時間を前記テーブルに適用して駆動電流を求め、求めた駆動電流に前記発光部に供給する駆動電流を変更するように構成してあることを特徴とする請求項１に記載の発光装置。
【請求項３】
前記発光部は、発光色が異なる複数の光源を備えてなり、
前記制御手段は、前記複数の光源のうち少なくとも一つの光源の駆動電流を該光源の総使用時間に応じて変更するように構成してあることを特徴とする請求項１又は２に記載の発光装置。
【請求項４】
前記複数の光源夫々に供給する駆動電流は、総使用時間に対する光量の変化が前記複数の光源間において略同一となるように決定してあることを特徴とする請求項３に記載の発光装置。
【請求項５】
前記発光部の光量を検出する光量センサを備え、
前記制御手段は、前記光量センサによる検出値に基づいて、前記発光部に供給する駆動電流の目標値を補正するように構成してあることを特徴とする請求項１から４の何れか一つに記載の発光装置。
【請求項６】
前記発光部はＬＥＤを含んでなることを特徴とする請求項１から５の何れか一つに記載の発光装置。
【請求項７】
請求項１から６の何れか一つの発光装置を備え、該発光装置からの光を照明光として出射するように構成してあることを特徴とする照明装置。
【請求項８】
請求項７に記載の照明装置の駆動方法であって、
駆動電流をパラメータとして前記発光部の総使用時間に対する光量変化を示す寿命曲線を予め求め、求めた寿命曲線に基づいて、前記発光部の光量が略一定になるように、前記発光部に供給する駆動電流を総使用時間に応じて決定し、決定した駆動電流を前記発光部に供給して該発光部を駆動することを特徴とする照明装置の駆動方法。
【発明の詳細な説明】
【技術分野】
【０００１】
本発明は、発光部を駆動する駆動電流を制御するように構成された発光装置、該発光装置を備える照明装置及び該照明装置の駆動方法に関する。
【背景技術】
【０００２】
従来、照明装置の光源として、白熱電球又は蛍光灯が広く用いられている。近年、半導体を用いた固体発光素子である発光ダイオード（以下、ＬＥＤという）の高輝度化に伴い、これらの光源に代えて、低消費電力、長寿命等の特性を有するＬＥＤが照明装置の光源として用いられている。
【０００３】
光源としてＬＥＤを用いた照明装置においては、従来、発光色が異なる複数のＬＥＤを用い、該複数のＬＥＤからの光を混色して所望の光色を得るように構成された照明装置があり、例えば、赤色ＬＥＤ、緑色ＬＥＤ及び青色ＬＥＤを用いて、白色光を得るように構成してある。また、このような照明装置においては、赤色ＬＥＤ、緑色ＬＥＤ及び青色ＬＥＤ夫々の発光比率を調整して、電球色、カラー色等の種々の光色を得るように構成することが可能である。
【０００４】
ところが、ＬＥＤは、長時間使用した場合、ＬＥＤ素子、該ＬＥＤ素子を封止する封止樹脂等に劣化が生じて光量が低下する。この総使用時間に伴う光量の低下は、赤色ＬＥＤ、緑色ＬＥＤ及び青色ＬＥＤ等の種類によって異なっている。例えば、総使用時間に伴う劣化は、赤色ＬＥＤ及び緑色ＬＥＤよりも青色ＬＥＤの方が速く、特に、総使用時間が数千時間を超えると、青色ＬＥＤは急激に劣化すると言われている。
【０００５】
このため、初期設定時に照明光として所望の白色光を得るべく、赤色ＬＥＤ、緑色ＬＥＤ及び青色ＬＥＤ夫々の発光比率を最適設定した場合においても、時間経過とともに発光比率が変化し、結果的に、これら３つの光を混合させることにより得られる照明光は、所望の白色光から外れてしまうことになる。そこで、時間が経過しても略同一の光色を得るように構成された照明装置が種々提案してある（例えば、特許文献１参照）。
【０００６】
特許文献１に開示されたＬＥＤ照明装置は、異なる波長の光を出力する複数のＬＥＤと、各ＬＥＤを発光波長毎に独立して駆動する駆動部とを備え、該駆動部は複数のＬＥＤの経時変化が同一となる電流値により各ＬＥＤを駆動するように構成してある。この構成により、各ＬＥＤの経時変化が同一になり、時間が経過しても、複数のＬＥＤの発光比率が同一のままであるから、複数のＬＥＤからの光を混合させてなる照明光の色は変化せず、略同一の光色を得ることができる。
【先行技術文献】
【特許文献】
【０００７】
【特許文献１】特開２００７−８０５３２号公報
【発明の概要】
【発明が解決しようとする課題】
【０００８】
ところが、特許文献１に係るＬＥＤ照明装置においては、複数のＬＥＤの経時変化が同一になるように決定した一定電流を各ＬＥＤに供給するようにしてあるから、前述したように、ＬＥＤの劣化により光量が総使用時間に応じて低下してしまい、暗くなるという問題があった。
【０００９】
本発明は斯かる事情に鑑みてなされたものであり、発光部の経時変化による光量変化の影響を受けることなく、光色を略同一に保持すると共に、光量を略一定に保持することができる発光装置、該発光装置を備える照明装置及び該照明装置の駆動方法を提供することを目的とする。
【課題を解決するための手段】
【００１０】
本発明に係る発光装置は、発光部と、該発光部を駆動する駆動電流を制御する制御手段とを備える発光装置において、前記制御手段は、所定の光量を得るべく、前記発光部の総使用時間に応じて該発光部に供給する駆動電流を変更するように構成してあることを特徴とする。
【００１１】
本発明にあっては、所定の光量を得るべく、発光部の総使用時間に応じて、該発光部に供給する駆動電流を変更するように構成してある。発光部の経時変化により該発光部の光量が変化したときに、光量の変化量に応じて駆動電流を変更することにより、光量を略一定に保持することが可能となる。また、例えば、発光色が異なる複数のＬＥＤを備える発光装置に本発明を適用した場合、複数のＬＥＤの発光比率が変化しないから、光色を略同一に保持することが可能となる。
【００１２】
本発明に係る発光装置は、前記発光部の使用時間を累計して総使用時間を求める手段と、前記発光部の総使用時間と駆動電流との関係を示すテーブルとを備え、前記制御手段は、前記手段により求めた発光部の総使用時間を前記テーブルに適用して駆動電流を求め、求めた駆動電流に前記発光部に供給する駆動電流を変更するように構成してあることを特徴とする。
【００１３】
本発明にあっては、発光部の使用時間を累計して総使用時間を求め、求めた総使用時間を、前記発光部の総使用時間と駆動電流との関係を示すテーブルに適用して駆動電流を求め、求めた駆動電流に前記発光部に供給する駆動電流を変更するように構成してある。前記テーブルを発光部の総使用時間に伴う光量の変化を考慮して適切に設定することにより、発光部の経時変化による光量変化の影響を受けることなく光量を略一定に保持することが可能となる。また、例えば、発光色が異なる複数のＬＥＤを備える発光装置に本発明を適用した場合、複数のＬＥＤの発光比率が変化しないから、光色を略同一に保持することが可能となる。
【００１４】
本発明に係る発光装置は、前記発光部は、発光色が異なる複数の光源を備えてなり、前記制御手段は、前記複数の光源のうち少なくとも一つの光源の駆動電流を該光源の総使用時間に応じて変更するように構成してあることを特徴とする。
【００１５】
本発明にあっては、発光色が異なる複数の光源を備えてなる発光部の少なくとも一つの光源の駆動電流を該光源の総使用時間に応じて変更するように構成してある。総使用時間に応じて変更する光源として、例えば、総使用時間に伴う劣化が最も速い光源を選択することにより、簡素な構成によって光色及び光量の変化を効果的に抑えることが可能となる。
【００１６】
本発明に係る発光装置は、前記複数の光源夫々に供給する駆動電流は、総使用時間に対する光量の変化が前記複数の光源間において略同一となるように決定してあることを特徴とする。
【００１７】
本発明にあっては、総使用時間に対する光量の変化が前記複数の光源間において略同一となるように該複数の光源夫々に供給する駆動電流を決定している。複数の光源の総使用時間に対する光量の変化が略同一であるから、駆動電流を変更する総使用時間及び駆動電流の変更率を同一にすることができ、簡素な制御構成により光色を略同一に保持すると共に、光量を略一定に保持することができる。
【００１８】
本発明に係る発光装置は、前記発光部の光量を検出する光量センサを備え、前記制御手段は、前記光量センサによる検出値に基づいて、前記発光部に供給する駆動電流の目標値を補正するように構成してあることを特徴とする。
【００１９】
本発明にあっては、光量センサにより発光部の光量を検出して、検出された光量に基づいて発光部に供給する駆動電流の目標値を補正するように構成してある。例えば、発光装置の使用開始時又は使用途中において、発光部の実際の光量を検出しているから、発光部のロット間の初期光量のばらつき、経時変化のばらつきを補正することができる。
【００２０】
本発明に係る発光装置は、前記発光部はＬＥＤを含んでなることを特徴とする。
【００２１】
本発明にあっては、発光部はＬＥＤを含んでなり、ＬＥＤは駆動電流の増加に比例して光量が増加するから、発光部の劣化に伴う光量の減少分に応じて変更する発光部に供給する駆動電流を容易に設定することができる。
【００２２】
本発明に係る照明装置は、前述の発明に記載の発光装置を備え、該発光装置からの光を照明光として出射するように構成してあることを特徴とする。
【００２３】
本発明にあっては、前記発光装置を備え、該発光装置からの光を照明光として出射するように構成してあるから、発光部の経時変化による光量変化の影響を受けることなく、略同一の光色及び略一定の光量の照明光を得ることができる。
【００２４】
本発明に係る照明装置の駆動方法は、前述の発明に記載の照明装置の駆動方法であって、駆動電流をパラメータとして前記発光部の総使用時間に対する光量変化を示す寿命曲線を予め求め、求めた寿命曲線に基づいて、前記発光部の光量が略一定になるように、前記発光部に供給する駆動電流を総使用時間に応じて決定し、決定した駆動電流を前記発光部に供給して該発光部を駆動することを特徴とする。
【００２５】
本発明にあっては、駆動電流をパラメータとして前記発光部の総使用時間に対する光量変化を示す寿命曲線を予め求め、求めた寿命曲線に基づいて、発光部に供給する駆動電流を総使用時間に応じて該発光部の光量が略一定になるように決定し、決定した駆動電流を発光部に供給して該発光部を駆動しているから、発光部の経時変化による光量変化の影響を受けることなく、光色を略同一に保持すると共に、光量を略一定に保持することができる。
【発明の効果】
【００２６】
本発明によれば、発光部の経時変化による光量変化の影響を受けることなく、光色を略同一に保持すると共に、光量を略一定に保持することができる。
【図面の簡単な説明】
【００２７】
【図１】実施の形態１に係る照明装置の概略構成を示すブロック図である。
【図２】赤色ＬＥＤ、緑色ＬＥＤ及び青色ＬＥＤの光量の経時変化を示す図である。
【図３】赤色ＬＥＤ、緑色ＬＥＤ及び青色ＬＥＤの総使用時間ｔと、総使用時間ｔに対して光量Ｅが一定となる駆動電流Ｉとの関係を示す図である。
【図４】実施の形態１に係る照明装置に用いる駆動電流Ｉに対するＬＥＤの光量Ｅの経時変化を示す図である。
【図５】実施の形態１に係る照明装置に用いるＬＥＤの総使用時間ｔと駆動電流Ｉとの関係を示す図である。
【図６】駆動電流Ｉの他の変更方法の説明図である。
【図７】制御部の照明装置の点灯制御の処理手順を示すフローチャートである。
【図８】実施の形態２に係る照明装置の概略構成を示すブロック図である。
【図９】駆動電流Ｉの目標値の補正方法の説明図である。
【図１０】制御部の照明装置の点灯制御の他の処理手順を示すフローチャートである。
【図１１】制御部の照明装置の点灯制御の他の処理手順を示すフローチャートである。
【図１２】実施の形態３における駆動電流Ｉの設定の説明図である。
【発明を実施するための形態】
【００２８】
以下、本発明をその実施の形態を示す図面に基づいて照明装置を例にして詳述する。
（実施の形態１）
図１は、実施の形態１に係る照明装置１００の概略構成を示すブロック図である。図中１は、発光色が異なる複数の光源を有する発光部である。発光部１は、発光色が赤色である赤色ＬＥＤ１１と、発光色が緑色である緑色ＬＥＤ１２と、発光色が青色である青色ＬＥＤ１３とを備えている。これら赤色ＬＥＤ１１、緑色ＬＥＤ１２及び青色ＬＥＤ１３は、ＬＥＤ素子と、該ＬＥＤ素子を封止する封止樹脂と、入力端子及び出力端子とを備えてなる表面実装型ＬＥＤである。
【００２９】
この発光部１の赤色ＬＥＤ１１、緑色ＬＥＤ１２及び青色ＬＥＤ１３には、赤色ＬＥＤ１１、緑色ＬＥＤ１２及び青色ＬＥＤ１３夫々に対して所定の駆動電流を供給すべく動作する駆動回路２１，２２，２３が接続してある。駆動回路２１，２２，２３には、該駆動回路２１，２２，２３を介して発光部１に電力を供給するＤＣ電源部３が接続してある。
【００３０】
ＤＣ電源部３は、商用交流電源から供給された電流を整流する整流回路、整流された電圧を所定の電圧に変換するトランス等を備えている。ＤＣ電源部３は、商用交流電源から供給された交流電流を整流して所定電圧に変換した後の直流電流を駆動回路２１，２２，２３に夫々供給する。
【００３１】
また、駆動回路２１，２２，２３には、発光部１を駆動する駆動電流を制御する制御部４が接続してある。制御部４は、制御用のマイクロコンピュータを備えており、駆動回路２１，２２，２３に与える信号を生成するように構成してある。
【００３２】
制御部４には、ＤＣ電源部３が接続してあり、ＤＣ電源部３から所定電圧の制御動作用の電力が供給される。また、制御部４には、制御プログラム、設定内容、並びに赤色ＬＥＤ１１、緑色ＬＥＤ１２及び青色ＬＥＤ１３夫々の総使用時間等を記憶するメモリ５、時間をカウントするタイマ６及び人の操作を受け付ける操作部７が接続してある。なお、総使用時間は、タイマ６によりカウントされた赤色ＬＥＤ１１、緑色ＬＥＤ１２及び青色ＬＥＤ１３夫々を実際に点灯している使用時間を制御部４において累計することにより求める。
【００３３】
操作部７は、例えば、発光部１の点灯／消灯する操作を受け付ける電源スイッチと、昼白色、電球色等の発光色の設定操作を受け付ける発光色設定スイッチと、明るさの設定操作を受け付ける照度設定スイッチと、これらスイッチの操作に応じた赤外線信号の送信を行う送信部とを備えてなる赤外線リモートコントローラである。
【００３４】
制御部４は、操作部７により与えられた信号を受信部（図示せず）により受信すると共に、メモリ５に記憶されている調光用の制御プログラム、並びに赤色ＬＥＤ１１、緑色ＬＥＤ１２及び青色ＬＥＤ１３夫々の総使用時間を読込む。
【００３５】
制御部４は、操作部７により設定された発光色になるように、発光部１の赤色ＬＥＤ１１、緑色ＬＥＤ１２及び青色ＬＥＤ１３の発光比率を設定すべく、前記信号に対応するデューティ比を求め、求めたデューティ比のパルス信号を生成する制御プログラムを実行し、前記デューティ比のパルス信号を生成する。制御部４は、生成したパルス信号を駆動回路部２１，２２，２３に与える。
【００３６】
また、制御部４は、赤色ＬＥＤ１１、緑色ＬＥＤ１２及び青色ＬＥＤ１３夫々に対する駆動電流を求め、求めた駆動電流を発光部１に供給する駆動電流に変更する指令信号を駆動回路部２１，２２，２３に与える。
【００３７】
駆動回路２１，２２，２３は、赤色ＬＥＤ１１、緑色ＬＥＤ１２及び青色ＬＥＤ１３の発光比率を、昼白色、電球色等の発光色に応じた所定の発光比率にすべく、赤色ＬＥＤ１１、緑色ＬＥＤ１２及び青色ＬＥＤ１３夫々に対する給電／遮断を行う電界効果型トランジスタ等のスイッチング素子を備えている。また、駆動回路２１，２２，２３は、発光部１の赤色ＬＥＤ１１、緑色ＬＥＤ１２及び青色ＬＥＤ１３夫々に対して供給される駆動電流を増減し、増減後の駆動電流を一定電流にして赤色ＬＥＤ１１、緑色ＬＥＤ１２及び青色ＬＥＤ１３夫々に供給可能なように構成された定電流回路を備えている。
【００３８】
駆動回路２１，２２，２３の定電流回路及びスイッチング素子は、制御部４により与えられた信号に応じて動作し、この動作に応じて、発光部１の赤色ＬＥＤ１１、緑色ＬＥＤ１２及び青色ＬＥＤ１３夫々は、制御部４により決定された所定の発光強度にて点灯することになり、所定の光色及び光量の光が照明光として照明装置１００から出射されることになる。
【００３９】
本発明に係る照明装置１００においては、このように発光部１の赤色ＬＥＤ１１、緑色ＬＥＤ１２及び青色ＬＥＤ１３夫々に供給する駆動電流を、赤色ＬＥＤ１１、緑色ＬＥＤ１２及び青色ＬＥＤ１３夫々の総使用時間に応じて、換言すると経時変化に伴う光量減少に応じて、変更するように構成してある。以下、この駆動電流の変更の考え方について説明する。
【００４０】
先ず照明装置１００に用いる赤色ＬＥＤ１１、緑色ＬＥＤ１２及び青色ＬＥＤ１３夫々の光量の経時変化を予め求めておく。図２は、赤色ＬＥＤ１１、緑色ＬＥＤ１２及び青色ＬＥＤ１３の光量の経時変化を示す図である。図２の横軸は各ＬＥＤ１１，１２，１３の総使用時間ｔを、縦軸は各ＬＥＤ１１，１２，１３の光量Ｅを夫々示している。なお、図２（ａ）は赤色ＬＥＤ１１の光量の経時変化を、図２（ｂ）は緑色ＬＥＤ１２の光量の経時変化を、図２（ｃ）は青色ＬＥＤ１３の光量の経時変化を夫々示している。
【００４１】
この経時変化は、例えば、温度による加速を行う加速試験を行うことにより求める。この加速試験は、温度条件を変えて寿命に到達する時間を計測し、計測したデータをアレニウスのモデル式を用いてプロットすることにより、使用温度における寿命を予測する試験方法であり、それ自体公知であるので試験方法についての詳細の説明は省略する。図２に示す経時変化は、アレニウスプロットによる寿命曲線から求めている。なお、使用温度は、発光部１を取付ける照明装置１００の設置環境、放熱構造等に応じて適切に設定してある。
【００４２】
図２に示すように、各ＬＥＤ１１，１２，１３の光量Ｅは、総使用時間ｔの増加に従って減少する。図２（ｃ）に示すように、特に青色ＬＥＤ１３の光量Ｅが急激に減少するため、このまま使用した場合、各ＬＥＤ１１，１２，１３からの光の混合光である照明光の光量が減少するのみでなく、各ＬＥＤ１１，１２，１３の発光比率が時間と共に変化してしまうため光色も変化してしまう。そこで、経時変化に伴う光量の減少分を、赤色ＬＥＤ１１、緑色ＬＥＤ１２及び青色ＬＥＤ１３夫々に供給する駆動電流の増加に応じた光量の増加分で補うことにより、各ＬＥＤ１１，１２，１３の経時変化による光量変化の影響を受けることなく、赤色ＬＥＤ１１、緑色ＬＥＤ１２及び青色ＬＥＤ１３夫々の光量Ｅを一定に保持することが可能となる。
【００４３】
図３は、赤色ＬＥＤ１１、緑色ＬＥＤ１２及び青色ＬＥＤ１３の総使用時間ｔと、総使用時間ｔに対して光量Ｅが一定となる駆動電流Ｉとの関係を示す図である。図３の横軸は各ＬＥＤ１１，１２，１３の総使用時間ｔを、縦軸は各ＬＥＤ１１，１２，１３に供給する駆動電流Ｉを夫々示している。なお、図３（ａ）は赤色ＬＥＤ１１の総使用時間ｔに対する赤色ＬＥＤ１１に供給する駆動電流Ｉを、図３（ｂ）は緑色ＬＥＤ１２の総使用時間ｔに対する緑色ＬＥＤ１２に供給する駆動電流Ｉを、図３（ｃ）は青色ＬＥＤ１３の総使用時間ｔに対する青色ＬＥＤ１３に供給する駆動電流Ｉを夫々示している。図３に基づいて、各ＬＥＤ１１，１２，１３の総使用時間ｔに対応する駆動電流Ｉを各ＬＥＤ１１，１２，１３に供給することにより、各ＬＥＤ１１，１２，１３の経時変化による光量変化の影響を受けることなく、各ＬＥＤ１１，１２，１３の光量を一定にすることができる。
【００４４】
図３に示すように、総使用時間ｔに応じて駆動電流Ｉを連続的に変化させる方が各ＬＥＤ１１，１２，１３の光量Ｅを一定にするという観点からは望ましいが、制御の簡易化の観点から、本実施の形態においては、光量Ｅが所定の範囲内になるように駆動電流Ｉを変更するように構成された照明装置１００を例にして以下説明する。
【００４５】
図４は、実施の形態１に係る照明装置１００に用いる駆動電流Ｉに対するＬＥＤの光量Ｅの経時変化を示す図であり、駆動電流Ｉの変更方法の説明図である。図４の横軸はＬＥＤの総使用時間ｔを、縦軸はＬＥＤの光量Ｅを夫々示している。ＬＥＤの光量の経時変化は、駆動電流Ｉｉ（Ｉｉ＝Ｉ１，Ｉ２，Ｉ３，Ｉ４…：Ｉ１＜Ｉ２＜Ｉ３＜Ｉ４）毎に求めてある。ＬＥＤは、図４に示すように、一般に駆動電流Ｉが大きくなるに従って光量Ｅも大きくなる一方、経時変化も大きくなり総使用時間ｔに対する光量Ｅの変化率も大となる。なお、図４には、説明の便宜のため、１種類のＬＥＤの光量の経時変化を示す図のみを示して他の図を省略しているが、実際は、３種類の赤色ＬＥＤ１１、緑色ＬＥＤ１２及び青色ＬＥＤ１３夫々の光量の経時変化を示す図を予め求めている。
【００４６】
なお、Ｅ１は初期の光量であり、Ｅ２は閾値の光量である。Ｅ２は、Ｅ１よりも若干低い値であり、使用者に違和感を与えない程度に設定してある。発光部１の各ＬＥＤ１１，１２，１３に供給される駆動電流Ｉは、光量ＥがＥ１及びＥ２に挟まれる範囲内になるように変更されるようにしてある。なお、Ｅ２は、発光部１を取付ける照明装置１００の構造、カバー等に応じて適切に設定してある
【００４７】
より詳細には、照明装置１００の使用開始時においては、初期駆動電流Ｉ１に設定されており、図４に示すように光量Ｅは総使用時間ｔに応じてＥ１から漸減する。光量Ｅが初期の光量Ｅ１からＥ２まで減少する所定時間ｔ１に総使用時間ｔが到達したとき、光量ＥがＥ１になるように発光部１に供給する駆動電流ＩをＩ１からＩ２に変更する。駆動電流Ｉ２において光量ＥがＥ２まで減少する所定時間ｔ２に総使用時間ｔが到達したとき、光量ＥがＥ１になるように発光部１に供給する駆動電流ＩをＩ２からＩ３に変更する。同様に所定時間ｔ３に総使用時間ｔが到達したとき、駆動電流ＩをＩ３からＩ４に変更する。以下同様に繰り返し、照明装置１００の寿命期間に亘って総使用時間ｔと駆動電流Ｉとの関係を求める。求めた結果を図５に示す。
【００４８】
図５は、実施の形態１に係る照明装置１００に用いるＬＥＤの総使用時間ｔと駆動電流Ｉとの関係を示す図である。図５の横軸はＬＥＤの総使用時間ｔを、縦軸は駆動電流Ｉを夫々示している。図５に示すように、ＬＥＤの総使用時間ｔに応じて階段状に駆動電流Ｉを変更することにより、各ＬＥＤ１１，１２，１３の経時変化による光量変化の影響を殆ど受けることなく、各ＬＥＤ１１，１２，１３の光量Ｅを、図４中に太線にて示すように、Ｅ１とＥ２の間の範囲の略一定にすることができる。
【００４９】
なお、図４においては、光量Ｅが初期の光量Ｅ１からＥ２まで減少する所定時間ｔ１に総使用時間ｔが到達したとき、光量ＥがＥ１になるように発光部１に供給する駆動電流ＩをＩ１からＩ２に変更し、駆動電流Ｉ２において総使用時間ｔ＝ｔ１である時点から光量Ｅの経時変化を考えている。しかしながら、前述したように、駆動電流Ｉが大きくなるに従って経時変化も大きくなり総使用時間ｔに対する光量Ｅの変化率も大となるから、駆動電流Ｉ１における所定時間ｔ１の時点のＬＥＤの劣化状態と駆動電流Ｉ２における所定時間ｔ１の時点のＬＥＤの劣化状態とは異なっている。従って、駆動電流Ｉ２において光量Ｅの経時変化を考える場合、総使用時間ｔはｔ１よりも短い時間、換言するとｔ１よりも図において左側の位置にある時点から光量Ｅの経時変化を考える方がより正確であり、このずれを補正した考え方を図６に示す。
【００５０】
図６は、駆動電流Ｉの他の変更方法の説明図である。図６の横軸はＬＥＤの総使用時間ｔを、縦軸はＬＥＤの光量Ｅを夫々示している。ＬＥＤの光量の経時変化は、駆動電流Ｉｉ（Ｉｉ＝Ｉ１，Ｉ２’，Ｉ３’，Ｉ４’…：Ｉ１＜Ｉ２’＜Ｉ３’＜Ｉ４’）毎に求めてある。照明装置１００の使用開始時においては、初期駆動電流Ｉ１に設定されており、図６に示すように光量Ｅは総使用時間ｔに応じてＥ１から漸減する。光量Ｅが初期の光量Ｅ１からＥ２まで減少する所定時間ｔ１に総使用時間ｔが到達したとき、光量ＥがＥ１になるように発光部１に供給する駆動電流ＩをＩ１からＩ２’に変更する。このとき、図６中に太線にて示すように、駆動電流Ｉ２’における総使用時間の開始時点はｔ１よりも短い時間とする。以下同様に繰り返し、照明装置１００の寿命期間に亘って総使用時間ｔと駆動電流Ｉとの関係を求める。求めた結果は図５よりもｔ１とｔ２との間、ｔ２とｔ３との間、ｔ３とｔ４との間が補正分だけ長くなる。このような補正を行うことにより、各ＬＥＤ１１，１２，１３の光量Ｅを、より確実にＥ１及びＥ２に挟まれる範囲内の略一定にすることが可能となる。なお、このような補正は、発光部１を取付ける照明装置１００の構造等に応じて適切に行う必要がある。
【００５１】
以上のように、駆動電流Ｉをパラメータとして発光部１の総使用時間ｔに対する光量Ｅの経時変化を示す寿命曲線を予め求め、求めた寿命曲線に基づいて前述の如く、赤色ＬＥＤ１１、緑色ＬＥＤ１２及び青色ＬＥＤ１３夫々の総使用時間ｔと駆動電流Ｉとの関係を示すテーブル（例えば、図５の総使用時間ｔと駆動電流Ｉとの関係をテーブル化したもの）を求め、求めたテーブルをメモリ５に予め記憶させてある。制御部４は、赤色ＬＥＤ１１、緑色ＬＥＤ１２及び青色ＬＥＤ１３夫々に対する駆動電流を、各ＬＥＤ１１，１２，１３の総使用時間ｔを前記テーブルに適用して求めた駆動電流Ｉに変更する。
【００５２】
図７は、制御部４の照明装置１００の点灯制御の処理手順を示すフローチャートである。制御部４は、照明装置１００の電源投入後、操作部７からの信号を取得し、昼白色、電球色等の発光色の設定情報を取込む（ステップＳ１）。次に、メモリ５に記憶されている赤色ＬＥＤ１１、緑色ＬＥＤ１２及び青色ＬＥＤ１３夫々の総使用時間ｔを読込む（ステップＳ２）と共に、メモリ５に記憶されている赤色ＬＥＤ１１、緑色ＬＥＤ１２及び青色ＬＥＤ１３夫々に供給すべき駆動電流Ｉの目標値を読込む（ステップＳ３）。なお、照明装置１００の使用開始時においては、駆動電流Ｉは初期駆動電流Ｉ１である。
【００５３】
ステップＳ１において取込まれた発光色の設定情報に基づき、メモリ５に記憶されている赤色ＬＥＤ１１、緑色ＬＥＤ１２及び青色ＬＥＤ１３の発光比率であるＲＧＢ比率を読込む（ステップＳ４）。このＲＧＢ比率は、発光色の種類に応じて予め設定してあり、例えば、昼白色（５０００Ｋ）においては、Ｒ：Ｇ：Ｂが０．８：１：０．３に、電球色（２８００Ｋ）においては、Ｒ：Ｇ：Ｂが１：０．９：０．１に設定してある。
【００５４】
ステップＳ３において読込まれた各ＬＥＤ１１，１２，１３の駆動電流Ｉの目標値及びステップＳ４において読込まれたＲＧＢ比率等の設定値に従った駆動電流Ｉを発光部１の赤色ＬＥＤ１１、緑色ＬＥＤ１２及び青色ＬＥＤ１３夫々に供給して照明装置１００を点灯する（ステップＳ５）と共に、タイマ６をスタートさせる。
【００５５】
タイマ６によりカウントされた点灯時間に基づいて赤色ＬＥＤ１１、緑色ＬＥＤ１２及び青色ＬＥＤ１３夫々の使用時間を累計して総使用時間ｔを求める（ステップＳ６）と共に、累計された総使用時間ｔをメモリ５に記憶する。使用時間は、点灯時間にＲＧＢ比率を掛けることにより求められる。例えば、昼白色にて８時間点灯した場合、赤色ＬＥＤの使用時間は６．４時間、緑色ＬＥＤの使用時間は８時間、青色ＬＥＤの使用時間は、２．４時間となる。総使用時間ｔは、ステップＳ２において読込まれた各ＬＥＤ１１，１２，１３の総使用時間ｔに対応する使用時間を夫々加算することにより求められる。
【００５６】
次に、ステップＳ６において求められた総使用時間ｔを用いて、総使用時間ｔが所定時間ｔｉ（ｉ＝１，２，３…）であるか否かを赤色ＬＥＤ１１、緑色ＬＥＤ１２及び青色ＬＥＤ１３夫々に対して判定する（ステップＳ７）。ステップＳ７において、総使用時間ｔが所定時間ｔｉである場合（ステップＳ７：ＹＥＳ）、駆動電流Ｉを変更して（ステップＳ８）、ステップＳ９に進むと共に、変更後の駆動電流Ｉの目標値をメモリ５に記憶する。一方、ステップＳ７において、総使用時間ｔが所定時間ｔｉでない場合（ステップＳ７：ＮＯ）、駆動電流Ｉを変更せずにステップＳ９に進む。なお、駆動電流Ｉの変更は、赤色ＬＥＤ１１、緑色ＬＥＤ１２及び青色ＬＥＤ１３夫々に対する駆動電流を、各ＬＥＤ１１，１２，１３の総使用時間ｔを前記テーブルに適用して求めた駆動電流Ｉに変更することによりなされる。
【００５７】
次に、ステップＳ９において、発光色の変更が有るか否かを判定する。この判定は、操作部７から発光色の設定情報に対する入力が有るか否かによりなされる。
【００５８】
ステップＳ９において、発光色の変更がある場合（ステップＳ９：ＹＥＳ）、ステップＳ４に戻り一連の動作を電源が遮断されるまで繰り返す。一方、ステップＳ９において、発光色の変更がない場合（ステップＳ９：ＮＯ）、ステップＳ５に戻り一連の動作を電源が遮断されるまで繰り返す。
【００５９】
以上のように構成された実施の形態１に係る照明装置１００においては、発光部１の赤色ＬＥＤ１１、緑色ＬＥＤ１２及び青色ＬＥＤ１３夫々の使用時間を累計して総使用時間ｔを求め、求めた総使用時間ｔを、各ＬＥＤ１１，１２，１３の総使用時間ｔと駆動電流Ｉとの関係を示すテーブルに適用して駆動電流Ｉを求め、求めた駆動電流Ｉに各ＬＥＤ１１，１２，１３に供給する駆動電流を変更するように構成してある。前述したように、各ＬＥＤ１１，１２，１３夫々の総使用時間ｔに伴う光量Ｅの減少分を駆動電流Ｉの増加に応じた光量Ｅの増加分にて補うように前記テーブルを設定してあるから、各ＬＥＤ１１，１２，１３の経時変化による光量変化の影響を受けることなく光量を略一定に保持することができる。この結果、発光色が異なる赤色ＬＥＤ１１、緑色ＬＥＤ１２及び青色ＬＥＤ１３の発光比率が変化しないから、光色を略同一に保持することができる。
【００６０】
また、光量を検出するセンサを用いることなく、メモリ５に記憶してある制御プログラム等の設定を適切に行うことにより、簡素な構成において前述の効果を得ることができる。また、ＬＥＤは駆動電流Ｉの増加に比例して光量Ｅが増加するから、発光部１の赤色ＬＥＤ１１、緑色ＬＥＤ１２及び青色ＬＥＤ１３夫々の劣化に伴う光量Ｅの減少分に応じて変更する各ＥＤ１１，１２，１３に供給する駆動電流Ｉを容易に設定することができる。
【００６１】
（実施の形態２）
図８は、実施の形態２に係る照明装置２００の概略構成を示すブロック図である。照明装置２００の発光部１の赤色ＬＥＤ１１、緑色ＬＥＤ１２及び青色ＬＥＤ１３からの光を受光することが可能な適宜位置に光量センサとしての受光センサ８が設けてある。受光センサ８は、発光部１からの光を受光して信号を出力する受光素子であり、フォトトランジスタ、フォトダイオード等を用いることができる。受光センサ８には、アナログ信号をデジタル信号に変換するＡ／Ｄ変換回路９が接続してある。Ａ／Ｄ変換回路９には、制御部４が接続してある。Ａ／Ｄ変換回路９は、受光センサ８により与えられた検出値をデジタル変換して制御部４に与える。制御部４は、与えられた検出値に基づいて、赤色ＬＥＤ１１、緑色ＬＥＤ１２及び青色ＬＥＤ１３夫々に供給する駆動電流Ｉの目標値を補正するように構成してある。その他の構成は、図１に示す実施の形態２と同様であるため、対応する構成部材に図１と同一の参照符号を付して、その構成及び動作の詳細な説明を省略する。
【００６２】
図９は、駆動電流Ｉの目標値の補正方法の説明図である。図９の横軸はＬＥＤの総使用時間ｔを、縦軸はＬＥＤの光量Ｅを夫々示している。なお、照明装置２００に用いるＬＥＤの光量Ｅの経時変化を実線にて、基準となるＬＥＤの光量Ｅの経時変化を一点鎖線にて夫々示している。このような光量Ｅに関するずれは、ＬＥＤのロット間のばらつきにより生じることがある。光量Ｅに関するずれは、図９に示すように、初期の光量Ｅ１にずれ（ΔＥ）が生じる場合（図９中の（１）にて示す部分）、光量Ｅの経時変化の曲線の形にずれが生じる場合（図９中の（２）にて示す部分）がある。本実施の形態に係る照明装置２００においては、照明装置１００の使用開始時及び使用途中の光量Ｅを受光センサ８により検出して、検出された光量Ｅに基づいて発光部１に供給する駆動電流Ｉの目標値を補正するように構成してある。
【００６３】
図１０及び図１１は、制御部４の照明装置２００の点灯制御の他の処理手順を示すフローチャートである。制御部４は、照明装置２００の電源投入後、操作部７からの信号を取得し、昼白色、電球色等の発光色の設定情報を取込む（ステップＳ１１）。次に、メモリ５に記憶されている赤色ＬＥＤ１１、緑色ＬＥＤ１２及び青色ＬＥＤ１３夫々の総使用時間ｔを読込む（ステップＳ１２）と共に、メモリ５に記憶されている赤色ＬＥＤ１１、緑色ＬＥＤ１２及び青色ＬＥＤ１３夫々に供給すべき駆動電流Ｉの目標値を読込む（ステップＳ１３）。なお、照明装置１００の使用開始時においては、駆動電流Ｉは初期駆動電流Ｉ１である。
【００６４】
ステップＳ１１において取込まれた発光色の設定情報に基づき、メモリ５に記憶されている赤色ＬＥＤ１１、緑色ＬＥＤ１２及び青色ＬＥＤ１３の発光比率であるＲＧＢ比率を読込む（ステップＳ１４）。
【００６５】
ステップＳ１３において読込まれた各ＬＥＤ１１，１２，１３の駆動電流Ｉの目標値及びステップＳ１４において読込まれたＲＧＢ比率等の設定値に従った駆動電流Ｉを発光部１の赤色ＬＥＤ１１、緑色ＬＥＤ１２及び青色ＬＥＤ１３夫々に供給して照明装置２００を点灯する（ステップＳ１５）と共に、タイマ６をスタートさせる。
【００６６】
次に、発光部１の総使用時間ｔが０であるか否かを判定する（ステップＳ１６）。ステップＳ１６において、総使用時間ｔが０である場合、換言すると照明装置２００の使用開始時である場合（ステップＳ１６：ＹＥＳ）、受光センサ８から初期の光量の検出値を取込む（ステップＳ１７）。一方、ステップＳ１６において、総使用時間ｔが０でない場合（ステップＳ１６：ＮＯ）、ステップＳ２１に進む。
【００６７】
ステップＳ１７において取込まれた初期の光量の検出値を用いて、初期光量のばらつきが有るか否かを判定する（ステップＳ１８）。この初期光量のばらつきの有無の判定は、図９に示すΔＥが所定値以上であるか否かによりなされる。ステップＳ１８において、初期光量のばらつきがある場合（ステップＳ１８：ＹＥＳ）、発光部１に供給する駆動電流Ｉの目標値を補正する（ステップＳ１９）。この初期の光量Ｅ１のずれ（図９の（１）の部分）に対する補正は、例えば、Ｅ１／（Ｅ１−ΔＥ）を前記駆動電流Ｉの目標値に乗算することによりなされる。なお、受光センサ８による光量の検出は、赤色ＬＥＤ１１、緑色ＬＥＤ１２及び青色ＬＥＤ１３を順番に１種類ずつ点灯して行うことがより望ましい。
【００６８】
ステップＳ１９において補正された各ＬＥＤ１１，１２，１３の駆動電流Ｉの目標値及びステップＳ１４において読込まれたＲＧＢ比率等の設定値に従った駆動電流Ｉを発光部１の赤色ＬＥＤ１１、緑色ＬＥＤ１２及び青色ＬＥＤ１３夫々に供給して照明装置２００を点灯する（ステップＳ２０）。
【００６９】
一方、ステップＳ１８において、初期光量のばらつきがない場合（ステップＳ１８：ＮＯ）、駆動電流の補正を行わずにステップＳ２１に進む。
【００７０】
タイマ６によりカウントされた点灯時間に基づいて赤色ＬＥＤ１１、緑色ＬＥＤ１２及び青色ＬＥＤ１３夫々の使用時間を累計して総使用時間ｔを求める（ステップＳ２１）と共に、累計された総使用時間ｔをメモリ５に記憶する。
【００７１】
次に、ステップＳ２１において求められた総使用時間ｔを用いて、総使用時間ｔが所定時間ｔｉ（ｉ＝１，２，３…）であるか否かを赤色ＬＥＤ１１、緑色ＬＥＤ１２及び青色ＬＥＤ１３夫々に対して判定する（ステップＳ２２）。ステップＳ２２において、総使用時間ｔが所定時間ｔｉである場合（ステップＳ２２：ＹＥＳ）、駆動電流Ｉを変更して（ステップＳ２３）、ステップＳ２４に進むと共に、変更後の駆動電流Ｉの目標値をメモリ５に記憶する。一方、ステップＳ２２において、総使用時間ｔが所定時間ｔｉでない場合（ステップＳ２２：ＮＯ）、駆動電流Ｉを変更せずにステップＳ２７に進む。なお、駆動電流Ｉの変更は、赤色ＬＥＤ１１、緑色ＬＥＤ１２及び青色ＬＥＤ１３夫々に対する駆動電流を、各ＬＥＤ１１，１２，１３の総使用時間ｔを前記テーブルに適用して求めた駆動電流Ｉに変更することによりなされる。
【００７２】
ステップＳ２４において、受光センサ８から照明装置２００の使用途中である所定時間ｔｉの光量の検出値を取込む（ステップＳ２４）。
【００７３】
ステップＳ２４において取込まれた使用途中の所定時間ｔｉにおける光量の検出値を用いて、光量にばらつきが有るか否か、換言すると光量Ｅの経時変化の曲線の形にずれが有るか否かを判定する（ステップＳ２５）。光量のばらつきの有無の判定は、図９に実線と一点鎖線にて示す経時変化の曲線間のずれが所定値以上であるか否かによりなされる。ステップＳ２５において、光量のばらつきがある場合（ステップＳ２５：ＹＥＳ）、発光部１に供給する駆動電流Ｉの目標値を補正する（ステップＳ２６）。この光量Ｅ１のずれ（図９の（２）の部分）に対する補正は、例えば、ずれに応じて定めた所定の値を前記駆動電流Ｉの目標値に乗算することによりなされる。
【００７４】
一方、ステップＳ２５において、光量のばらつきがない場合（ステップＳ２５：ＮＯ）、駆動電流の補正を行わずにステップＳ２７に進む。
【００７５】
ステップＳ２７において、発光色の変更が有るか否かを判定する。この判定は、操作部７から発光色の設定情報に対する入力が有るか否かによりなされる。
【００７６】
ステップＳ２７において、発光色の変更がある場合（ステップＳ２７：ＹＥＳ）、ステップＳ１４に戻り一連の動作を電源が遮断されるまで繰り返す。一方、ステップＳ２７において、発光色の変更がない場合（ステップＳ２７：ＮＯ）、ステップＳ２０に戻り一連の動作を電源が遮断されるまで繰り返す。
【００７７】
以上のように構成された実施の形態２に係る照明装置２００においては、受光センサ８により発光部１の赤色ＬＥＤ１１、緑色ＬＥＤ１２及び青色ＬＥＤ１３夫々の光量Ｅを検出して、検出された光量Ｅに基づいて、発光部１の赤色ＬＥＤ１１、緑色ＬＥＤ１２及び青色ＬＥＤ１３夫々に供給する駆動電流Ｉの目標値を補正するように構成してある。前述したように、照明装置２００の使用開始時及び使用途中において、発光部１の赤色ＬＥＤ１１、緑色ＬＥＤ１２及び青色ＬＥＤ１３夫々の実際の光量Ｅを検出しているから、ＬＥＤのロット間の初期光量のばらつき、経時変化のばらつきを補正することができる。
【００７８】
（実施の形態３）
実施の形態１及び２に係る照明装置においては、発光部１の赤色ＬＥＤ１１、緑色ＬＥＤ１２及び青色ＬＥＤ１３夫々に対して、総使用時間ｔと駆動電流Ｉとの関係を示す異なるテーブルを用いるように構成してあるが、赤色ＬＥＤ１１、緑色ＬＥＤ１２及び青色ＬＥＤ１３の光量の経時変化が同一になるように各ＬＥＤ１１，１２，１３の駆動電流を設定してもよい。
【００７９】
図１２は、実施の形態３における駆動電流Ｉの設定の説明図である。図１２（ａ）〜（ｄ）の横軸は各ＬＥＤ１１，１２，１３の総使用時間ｔを、縦軸は各ＬＥＤ１１，１２，１３の光量Ｅを夫々示している。なお、図１２（ａ）は赤色ＬＥＤ１１の光量の経時変化を、図１２（ｂ）は緑色ＬＥＤ１２の光量の経時変化を、図１２（ｃ）は青色ＬＥＤ１３の光量の経時変化を、図１２（ｄ）は駆動電流Ｉに対するＬＥＤの光量Ｅの経時変化を示す図である。
【００８０】
図１２（ａ）（ｂ）（ｃ）に示すように、赤色ＬＥＤ１１、緑色ＬＥＤ１２及び青色ＬＥＤ１３の光量Ｅの経時変化が同一になるように、各ＬＥＤ１１，１２，１３の初期駆動電流Ｉ１を設定してある。この結果、図１２（ｄ）に示す駆動電流に対するＬＥＤの光量Ｅの経時変化を示す一つの図を赤色ＬＥＤ１１、緑色ＬＥＤ１２及び青色ＬＥＤ１３に共通に用いることができる。
【００８１】
以上のように構成された照明装置においては、総使用時間ｔに対する光量Ｅの変化が赤色ＬＥＤ１１、緑色ＬＥＤ１２及び青色ＬＥＤ１３間において略同一となるように該赤色ＬＥＤ１１、緑色ＬＥＤ１２及び青色ＬＥＤ１３夫々に供給する駆動電流Ｉを決定している。赤色ＬＥＤ１１、緑色ＬＥＤ１２及び青色ＬＥＤ１３の総使用時間ｔに対する光量Ｅの変化が略同一であるから、駆動電流Ｉを変更する総使用時間ｔ及び駆動電流Ｉの変更率を同一にすることができ、簡素な制御構成により光色を略同一に保持すると共に、光量を略一定に保持することができる。
【００８２】
なお、以上の実施の形態においては、複数の光源である赤色ＬＥＤ１１、緑色ＬＥＤ１２及び青色ＬＥＤ１３夫々に対して総使用時間に応じて駆動電流を変更するように構成してあるが、複数の光源のうち少なくとも一つの光源の駆動電流を該光源の総使用時間に応じて変更するように構成してあればよい。総使用時間に応じて変更する光源として、例えば、総使用時間に伴う劣化が最も速い光源、即ち青色ＬＥＤを選択することにより、簡素な構成によって光色及び光量の変化を効果的に抑えることが可能となる。
【００８３】
また、以上の実施の形態においては、複数の光源として赤色ＬＥＤ１１、緑色ＬＥＤ１２及び青色ＬＥＤ１３を備える照明装置を例に説明したが、これに限定されない。２つ又は４つ以上の異なる発光色を有する光源を備える照明装置にも同様に適用することができる。この場合においても、前述したような効果が得られる。
【００８４】
また、本発明に係る総使用時間に応じた駆動電流の変更方法は、１種類の光源のみを備える照明装置においても有効である。例えば、青色ＬＥＤと該青色ＬＥＤからの光により励起される黄色蛍光体とを有してなる疑似白色ＬＥＤを備える照明装置において、総使用時間に応じて駆動電流を変更することにより、所定の光量（例えば、初期光量の７０％）以上の光量を得ることができる時間を長く、即ち照明装置の寿命を長くすることができる。
【００８５】
また、以上の実施の形態においては、発光部１の赤色ＬＥＤ１１、緑色ＬＥＤ１２及び青色ＬＥＤ１３の総使用時間ｔと駆動電流Ｉとの関係を示すテーブルを用いているが、これに限定されず、駆動電流を総使用時間を変数とする関数により表し、この関数により駆動電流を求めるように構成してもよい。
【００８６】
また、以上の実施の形態においては、光源としてＬＥＤを用いているが、これに限定されず、ＥＬ（Ｅｌｅｃｔｒｏ  Ｌｕｍｉｎｅｓｃｅｎｃｅ）等を用いてもよい。
【００８７】
また、本発明に係る照明装置として、天井等の取付部材に埋込まれて設けられ、直下を照明するダウンライト、回動可能に設けられ、任意の方向の狭い範囲を照明するスポットライト、天井等の取付部材に設けられ、部屋全体を照明する所謂シーリングライト、電球用のソケットに取付けられる電球型照明装置、使用者の手元を照らすスタンドライト等、種々の照明装置が想定されうる。また、以上の実施の形態おいては、照明装置を例に説明したが、照明装置に限定されず、液晶画像装置のバックライトのような発光部を備える発光装置にも適用可能であり、その他、特許請求の範囲に記載した事項の範囲内において種々変更した形態にて実施することが可能であることは言うまでもない。
【符号の説明】
【００８８】
１  発光部
１１  赤色ＬＥＤ
１２  緑色ＬＥＤ
１３  青色ＬＥＤ
４  制御部（制御手段）
８  受光センサ（光量センサ）
１００，２００  照明装置（発光装置）
【図１】
2010206085.tif 000003
【図２】
2010206085.tif 000004
【図３】
2010206085.tif 000005
【図４】
2010206085.tif 000006
【図５】
2010206085.tif 000007
【図６】
2010206085.tif 000008
【図７】
2010206085.tif 000009
【図８】
2010206085.tif 000010
【図９】
2010206085.tif 000011
【図１０】
2010206085.tif 000012
【図１１】
2010206085.tif 000013
【図１２】
2010206085.tif 000014